(57)【要約】【課題】ファクシミリ装置における再発呼時の画像の圧縮制御または密度変換制御に関し、具体的には符号化エラーが生じた場合には再発呼時にエラーとならない符号化方式による符号化を行い、１ページ目エラーが生じたときは再発呼時にエラーとならない低密度画像による送信を行なう。【解決手段】画像送信手段（ＮＣＵ等）がＪＢＩＧ圧縮方式により圧縮した画像を送信する際に、送信手順中に符号化エラーを検出したときは、当該符号化エラーを記憶部１０７に記憶する。主制御部１は、画像送信手段がＪＢＩＧ圧縮方式により圧縮した画像を送信する際に、エラーが生じたときは送信手順の中止後に前記画像送信手段に再発呼をさせ、再発呼に際して符号化エラーの履歴が記憶部１０７にあるときは、符号化・復号化手段にＪＢＩＧ圧縮方式以外の他の圧縮方式により前記画像の符号化を行なわせる。【選択図】　　　　図３
2004104310.tif 000002
【特許請求の範囲】
【請求項１】
画像をＪＢＩＧ圧縮方式を含む複数の圧縮方式の何れかにより符号化する機能を備えた符号化・復号化手段と、
送信対象画像を、前記符号化・復号化手段により所定圧縮方式により符号化して、所定の宛先に送信する画像送信手段と、
前記画像送信手段がＪＢＩＧ圧縮方式により圧縮した画像を送信する際に、送信手順中に符号化エラーを検出したときは、当該符号化エラーを記憶する符号化エラー記憶手段と、
前記画像送信手段がＪＢＩＧ圧縮方式により圧縮した画像を送信する際に、エラーが生じたときは送信手順の中止後に前記画像送信手段に再発呼をさせ、再発呼に際して前記符号化エラー記憶手段に当該再発呼前の前記符号化エラーの履歴があるときは、前記符号化・復号化手段にＪＢＩＧ圧縮方式以外の他の圧縮方式により前記画像の符号化を行なわせる送信制御手段と、
を備えたことを特徴とするファクシミリ装置。
【請求項２】
前記送信制御手段は、前記再発呼に際して前記符号化エラー記憶手段に当該再発呼前の前記符号化エラーの履歴があるときに、前記符号化・復号化手段に、ＪＢＩＧ圧縮方式以外の他の圧縮方式での前記画像の符号化を行なわせるか否かを設定できる、機能オンオフ手段を備えたことを特徴とする請求項１に記載のファクシミリ装置。
【請求項３】
複数の画像密度のうちから１つの画像密度を決定し、当該画像密度の画像を所定圧縮方式で符号化する機能を備えた符号化・復号化手段と、送信対象画像を、前記符号化・復号化手段により所定圧縮方式により符号化して、所定の宛先に送信する画像送信手段と、
前記画像送信手段が高密度の画像を送信する際に、送信手順中に送信先からの回線切断による１ページ目送信エラーが生じたときはこれを記憶する送信エラー記憶手段と、
前記画像送信手段が高密度画像を送信する際に、エラーが生じたときは送信手順の中止後に前記画像送信手段に再発呼をさせ、再発呼に際して前記送信エラー記憶手段に当該再発呼前の前記１ページ目送信エラーの履歴があるときは、前記符号化・復号化手段に、より低い密度での送信画像の再圧縮を行なわせる送信制御手段と、
を備えたことを特徴とするファクシミリ装置。
【請求項４】
前記送信制御手段は、前記再発呼に際して前記送信エラー記憶手段に当該再発呼前の前記１ページ目送信エラーの履歴があるときに、前記符号化・復号化手段に、より低い密度での送信画像の再圧縮を行なわせるか否かを設定できる、機能オンオフ手段を備えたことを特徴とする請求項３に記載のファクシミリ装置。
【請求項５】
送信モードが親展または中継依頼の場合に限り、前記オンオフ手段がオンに設定されること特徴とする請求項４に記載のファクシミリ装置。
【発明の詳細な説明】
【０００１】
【発明の属する技術分野】
本発明は、ファクシミリ装置における再発呼時の画像の圧縮制御または密度変換制御に関し、具体的には符号化エラーが生じた場合には再発呼時にエラーとならない符号化方式による符号化を行い、１ページ目エラーが生じたときは再発呼時にエラーとならない低密度画像による送信を行なうことができるファクシミリ装置に関する。
【０００２】
【従来の技術】
ファクシミリ装置においては、送信画像の鮮明さ（綺麗さ）は、どのような符号化方式を採用するかに依存し、またどのような解像度（画像密度）を選択するかに依存する。
２値画像符号化の国際標準方式として、ＪＢＩＧ（Ｊｏｉｎｔ　Ｂｉ−ｌｅｖｅｌ　Ｉｍａｇｅ　ｅｘｐｅｒｔｓ　Ｇｒｏｕｐ）方式が、ＭＭＲ方式に代えて用いられることがある。この方式は、階層的符号化と、各種画像の効率的符号化を目的として標準化されたものである。ここで、階層的符号化とは、一つの画像データを、その概略画像から詳細画像へと段階的に符号化を行うことであり、ファクシミリ用に標準化された従来方式であるＭＭＲ方式と比較して、ＪＢＩＧ方式では１．５〜６倍程度高い圧縮率を得ることができる。
【０００３】
一方、画像密度は高ければ高いほど鮮明な画像を送信できる。通常、ファクシミリ装置では、送受信プロトコルにおいて、受信側で設定されている（または受信側が持つ）能力に相応する画像密度が決定される。
【０００４】
【発明が解決しようとする課題】
ところで、前述したＪＢＩＧ圧縮方式は、複雑なアルゴリズムにより実現されるが、これを低コストで実現する場合には、内部処理における制約（圧縮に必要なカウンタ値の制限等）を受けることがある。このような制約を受けないためには、理論上の最大値を許容するハードウェアが必要となるため、このようなファクシミリ装置では製造コストアップは免れない。このため、実際のファクシミリ装置では、上記制約を許容したうえで、制約条件に触れる画像は、圧縮過程においてエラーとして処理し、通信を中断するようにしているが、このようなエラーが発生した場合、その画像を永久に送信することができないという不具合が発生してしまう。
【０００５】
一方、高精細な密度（線密度）で画像を送信する場合、画情報のサイズは画像の辺の長さの二乗で増大する。送信先のファクシミリ装置がこの画像をメモリに蓄積する場合、当然メモリ残量によってはオーバーフローによって受信できない場合が発生しうる。
【０００６】
従来このような状況になってしまった場合、再発呼で送信する場合には、画像密度を低くして送信している。このため、送信先のメモリオーバーフロー以外の要因で通信が中断した場合であっても再発呼は低密度の画像で送信されてしまうという不都合がある。
【０００７】
本発明の目的は、符号化エラーが生じた場合には再発呼時にエラーとならない符号化方式による符号化を行うファクシミリ装置を提供することにある。
本発明の他の目的は、１ページ目エラーが生じたときにのみ、再発呼時に低密度画像での送信を行なうことができるファクシミリ装置を提供することにある。
【０００８】
【課題を解決するための手段】
本発明の第１態様のファクシミリ装置は、画像をＪＢＩＧ圧縮方式を含む複数の圧縮方式の何れかにより符号化する機能を備えた符号化・復号化手段と、送信対象画像を、前記符号化・復号化手段により所定圧縮方式により符号化して、所定の宛先に送信する画像送信手段と、前記画像送信手段がＪＢＩＧ圧縮方式により圧縮した画像を送信する際に、送信手順中に符号化エラーを検出したときは、当該符号化エラーを記憶する符号化エラー記憶手段と、前記画像送信手段がＪＢＩＧ圧縮方式により圧縮した画像を送信する際に、エラーが生じたときは送信手順の中止後に前記画像送信手段に再発呼をさせ、再発呼に際して前記符号化エラー記憶手段に当該再発呼前の前記符号化エラーの履歴があるときは、前記符号化・復号化手段にＪＢＩＧ圧縮方式以外の他の圧縮方式により前記画像の符号化を行なわせる送信制御手段とを備えることができる。
【０００９】
第１態様では、ファクシミリ装置における再発呼時の画像の圧縮制御において、符号化エラーが生じた場合には再発呼時にエラーとならない符号化方式による符号化を行なうことができる。
【００１０】
本発明の第１態様では、前記送信制御手段は、前記再発呼に際して前記符号化エラー記憶手段に当該再発呼前の前記符号化エラーの履歴があるときに、前記符号化・復号化手段に、ＪＢＩＧ圧縮方式以外の他の圧縮方式での前記画像の符号化を行なわせるか否かを設定できる、機能オンオフ手段、を備えることができる。
【００１１】
本発明の第２態様では、複数の画像密度のうちから１つの画像密度を決定し、当該画像密度の画像を所定圧縮方式で符号化する機能を備えた符号化・復号化手段と、送信対象画像を、前記符号化・復号化手段により所定圧縮方式により符号化して、所定の宛先に送信する画像送信手段と、前記画像送信手段が高密度の画像を送信する際に、送信手順中に送信先からの回線切断による１ページ目送信エラーが生じたときはこれを記憶する送信エラー記憶手段と、前記画像送信手段が高密度画像を送信する際に、エラーが生じたときは送信手順の中止後に前記画像送信手段に再発呼をさせ、再発呼に際して前記送信エラー記憶手段に当該再発呼前の前記１ページ目送信エラーの履歴があるときは、前記符号化・復号化手段に、より低い密度での送信画像の再圧縮を行なわせる送信制御手段とを備えたことを特徴とする。
【００１２】
通常、通信相手側でエラーが生じた場合、送信側においてその理由・要因を知ることができない。一般的なファクシミリ装置の受信処理は、いわゆる直接受信で、受信しながら印字するために、画像メモリのオーバーフローは発生しないと考えられる。第２態様では、画像メモリのオーバーフローの可能性が高い場合にのみ画像密度を変更するようにしている。
【００１３】
本発明の第２態様では、前記送信制御手段は、前記再発呼に際して前記送信エラー記憶手段に当該再発呼前の前記１ページ目送信エラーの履歴があるときに、前記符号化・復号化手段に、より低い密度での送信画像の再圧縮を行なわせるか否かを設定できる、機能オンオフ手段を備えたことを特徴とする。
【００１４】
本発明の第２態様では、送信モードが親展または中継依頼の場合に限り、前記オンオフ手段がオンに設定されるように構成できる。
【００１５】
送信モードを、親展送信や中継依頼送信など、送信相手からの画情報受信の中断が、相手側がメモリオーバーフローを起こす可能性が高いケースに限定して、上記機能を使用することができる。
【００１６】
【発明の実施の形態】
本発明のファクシミリ装置の実施形態を以下に説明する。
図１は本発明の第１実施形態を示す機能ブロック図であり、ファクシミリ装置１Ａは、符号化・復号化手段１１と、画像送信手段１２と、符号化エラー記憶手段１３と、送信制御手段１４と、機能オンオフ手段１５とからなる。
【００１７】
符号化・復号化手段１１は、画像をＪＢＩＧ圧縮方式を含む複数の圧縮方式の何れかにより符号化する機能を備えている。画像送信手段１２は、送信対象画像を、符号化・復号化手段１１により所定圧縮方式により符号化して、所定の宛先に送信することができる。符号化エラー記憶手段１３は、画像送信手段１２がＪＢＩＧ圧縮方式により圧縮した画像を送信する際に、送信手順中に符号化エラーを検出したときは、当該符号化エラーを記憶することができる。送信制御手段１４は、画像送信手段がＪＢＩＧ圧縮方式により圧縮した画像を送信する際に、エラーが生じたときは送信手順の中止後に画像送信手段１２に再発呼をさせ、再発呼に際して符号化エラー記憶手段１３に再発呼前の符号化エラーの履歴があるときは、符号化・復号化手段１１にＪＢＩＧ圧縮方式以外の他の圧縮方式により画像の符号化を行なわせる。機能オンオフ手段１５は、前記送信制御手段は、前記再発呼に際して前記符号化エラー記憶手段に当該再発呼前の前記符号化エラーの履歴があるときに、前記符号化・復号化手段に、ＪＢＩＧ圧縮方式以外の他の圧縮方式での前記画像の符号化を行なわせるか否かを設定できる。
【００１８】
図２は本発明の第２実施形態を示す機能ブロック図であり、ファクシミリ装置１Ｂは、符号化・復号化手段２１と、画像送信手段２２と、送信エラー記憶手段２３と、送信制御手段２４と、機能オンオフ手段２５とからなる。
【００１９】
符号化・復号化手段２１は、複数の画像密度のうちから１つの画像密度を決定し、当該画像密度の画像を所定圧縮方式で符号化する機能を備えている。画像送信手段２２は、送信対象画像を、符号化・復号化手段２１により所定圧縮方式により符号化して、所定の宛先に送信することができる。送信エラー記憶手段２３は、画像送信手段２２が高密度の画像を送信する際に、送信手順中に送信先からの回線切断による１ページ目送信エラーが生じたときはこれを記憶する。送信制御手段２４は、画像送信手段２２が高密度画像を送信する際に、エラーが生じたときは送信手順の中止後に画像送信手段２２に再発呼をさせ、再発呼に際して送信エラー記憶手段２３に再発呼前の１ページ目送信エラーの履歴があるときは、符号化・復号化手段２１に、より低い密度での送信画像の再圧縮を行なわせる。機能オンオフ手段２５は、前記送信制御手段が、再発呼に際して送信エラー記憶手段２３に再発呼前の１ページ目送信エラーの履歴があるときに、符号化・復号化手段２１に、より低い密度での送信画像の再圧縮を行なわせるか否かを設定できる。
【００２０】
図３は本発明のファクシミリ装置１の構成を示すハードウェアブロック図である。
本発明のファクシミリ装置１は、ＰＳＴＮのみを収容するＧ３ファクシミリ装置にも適用できるが、図３に示すようにＧ４機能をも有するファクシミリ装置にも適用される。
【００２１】
図３において、ファクシミリ装置１は、主制御部１０１と、スキャナ１０２と、プロッタ１０３と、操作部１０４と、表示部１０５と、符号化・復号化部１０６と、記憶部１０７と、Ｄｃｈ制御部１０８と、Ｇ４通信制御部１０９と、ＣＯＤＥＣ１１０と、Ｇ３通信制御部１１１と、ＮＣＵ１１２と、レイヤ１制御部１１３とからなる。
【００２２】
主制御部１０１は、装置全体の制御を行なうもので、端末の動作全体の制御や、送信画像の圧縮／変換処理などを実行する。本発明における送信制御手段の機能はこの主制御部１０１により達成することができる。主制御部１０１は、図１のファクシミリ装置１Ａの画像送信手段１２，送信制御手段１４、図２のファクシミリ装置１Ｂの画像送信手段２２，送信制御手段２４として機能する。
【００２３】
スキャナ１０２は、原稿を読み取り、２値化データに変換することができ、プロッタ１０３は受信原稿や各種レポートを出力することができる。操作部１０４はユーザがキー入力等を行なうもので、表示部１０５には、ファクシミリ装置１の動作状態や各種情報を表示することができる。操作部１０４は、図１のファクシミリ装置１Ａの機能オンオフ手段１５、図２のファクシミリ装置１Ｂの機能オンオフ手段２５として機能する。
【００２４】
符号化・復号化部１０６は画情報の圧縮・伸長を行なうもので、図１のファクシミリ装置１Ａの符号化・復号化手段１１、図２のファクシミリ装置１Ｂの符号化・復号化手段２１として機能する。
記憶部１０７には各種登録が保存される。記憶部１０７は、図１のファクシミリ装置１Ａの圧縮エラー記憶手段１３、図２のファクシミリ装置１Ｂの送信エラー記憶手段２３として機能する。
【００２５】
Ｄｃｈ制御部１０８はＩＳＤＮ呼制御を行なうもので、Ｇ４通信制御部１０９はＧ４プロトコルを制御する。ＣＯＤＥＣ１１０はアナログ信号をＩＳＤＮを介して通信するためのＡ／Ｄ、Ｄ／Ａ変換等を行ない、Ｇ３通信制御部１１１は、Ｇ３プロトコルを制御しデータ／音声変換を行なう。また、ＮＣＵ１１２はＰＳＴＮを介してＧ３通信を行い、レイヤ１制御部１１３はＩＳＤＮレイヤ１の制御を行なう。これらの各構成要素が、図１のファクシミリ装置１Ａの画像送信手段１２、図２のファクシミリ装置１Ｂの画像送信手段２２として機能する。
【００２６】
図４に、図３に示したファクシミリ装置１の動作を説明する。
送信操作が起動されると、その送信ファイルがエラー発生後の再発呼かどうか判定し（Ｓ１０１）、再発呼でない場合には通常送信処理を開始する（Ｓ１０２）。受信機にＪＢＩＧ受信能力がある場合、送信画像の圧縮モードでＪＢＩＧ方式を使用するが、そのＪＢＩＧ圧縮処理におけるエラーの発生を検出すると（Ｓ１０３）、ＪＢＩＧ圧縮エラーの履歴をセットし（Ｓ１０４）、通信終了手順を起動する（Ｓ１０８）。一方、正常にＪＢＩＧ圧縮が実行され、１ページ目の画情報の送信を実行している最中に、受信機からの切断を検出した場合（Ｓ１０５）、送信モードが親展送信や中継依頼送信など、受信機が必ずメモリ受信するモードであった場合には（Ｓ１０６）、１ページ目のエラー発生履歴をセットし（Ｓ１０７）、通信終了手順を実行する（Ｓ１０８）。
【００２７】
送信ファイルがエラー発生後の再発呼の場合において、ＪＢＩＧ圧縮のエラー履歴がある場合には（Ｓ１０９）、ＪＢＩＧモードをＯＦＦし（Ｓ１１０）、また、１ページ目のエラー履歴があれば（Ｓ１１１）、送信線密度をシフトダウンして（Ｓ１１２）、送信処理を開始する（Ｓ１０２）。
【００２８】
【発明の効果】
本発明では、ＪＢＩＧ圧縮処理において、一旦圧縮処理でエラーを検出したファイルは、再発呼時にＪＢＩＧ圧縮方式を使用しないことにより、確実に送信することが可能となる。
【００２９】
また、本発明では、高精細な線密度の画像を受信するだけのメモリ残量がない受信機に対して、再発呼時には線密度を粗くして画情報量を減らすことにより、確実に送信を完了することができる。本発明では、上記画像情報を減らす処理を受信機が必ず受信画像を画像メモリに蓄積するようなケースに限定することにより、重量な画像の送信を確実に行なうようにできる。
【図面の簡単な説明】
【図１】本発明のファクシミリ装置の第１実施形態を示す機能ブロック図である。
【図２】本発明のファクシミリ装置の第２実施形態を示す機能ブロック図である。
【図３】本発明のファクシミリ装置の構成を示すハードウェアブロック図である。
【図４】図３のファクシミリ装置の動作を説明するフローチャートである。
【符号の説明】
１，１Ａ．１Ｂ　ファクシミリ装置
１１，２１　符号化・復号化手段
１２，２２　画像送信手段
１３　符号化エラー記憶手段
１４，２４　送信制御手段
１５，２５　機能オンオフ手段
２３　送信エラー記憶手段
１０１　主制御部
１０２　スキャナ
１０３　プロッタ
１０４　操作部
１０５　表示部
１０７　記憶部
１０８　Ｄｃｈ制御部
１０９　Ｇ４通信制御部
１１０　ＣＯＤＥＣ
１１１　Ｇ３通信制御部
１１２　ＮＣＵ
１１３　レイヤ１制御部
【図１】
2004104310.tif 000003
【図２】
2004104310.tif 000004
【図３】
2004104310.tif 000005
【図４】
2004104310.tif 000006